(57)【要約】  【課題】暗くても端子部への導体線の接続完了を認識可能とし、部品・組立費用を安くし、全体の設計変更を容易とする。  【解決手段】電線挿入孔が穿設されたボディ１およびカバー２を器体として備えるとともに、電線挿入孔に挿入された電線の導体線の先端を奥側に突出させた状態で、導体線と電気的に接続する端子部４２と、この端子部４２の奥側に配置される報知部６とを器体内部に備えた。報知部６は、導体線の先端で押される干渉部６１と、弾性を有する湾曲部６２と、これを介して干渉部６１と連結され干渉部６１および湾曲部６２の支点となる支点部６３とを一体に有する形状に形成され、干渉部６１が、導体線の先端で押されその先端から外れた後、湾曲部６２の曲げ弾性力により反発して所定の復帰点に戻ろうとする際に導体線の側部と干渉して音を発するようになっている。【選択図】図１
2005100858.tif 000002
【特許請求の範囲】
【請求項１】
電線挿入孔が穿設された器体を備えるとともに、前記電線挿入孔に挿入された電線の導体線の先端を自己よりも奥側に突出させた状態で、その導体線と電気的に接続する端子部と、この端子部の奥側に配置される電線接続完了報知部とを前記器体内部に備え、
前記電線接続完了報知部は、前記導体線の先端で押される干渉部と、弾性を有する湾曲部と、この湾曲部を介して前記干渉部と連結されそれら干渉部および湾曲部の支点となる支点部とを一体に有する形状に形成され、前記干渉部が、前記導体線の先端で押されその先端から外れた後、前記湾曲部の曲げ弾性力により反発して所定の復帰点に戻ろうとする際に前記導体線の側部と干渉して音を発する
ことを特徴とする端子装置。
【請求項２】
前記干渉部における前記導体線の先端で押される部分が、当該干渉部を前記導体線の挿入方向と異なる方向にシフトさせる形状に形成され、前記干渉部における前記湾曲部との連結箇所が前記先端で押される部分に対して前記挿入方向と異なる方向の側に配置されていることを特徴とする請求項１記載の端子装置。
【請求項３】
前記支点部は、前記干渉部に対して前記導体線の挿入方向の奥側に配置されおり、前記湾曲部における前記干渉部側の曲げ角度が鋭角になっていることを特徴とする請求項２記載の端子装置。
【請求項４】
前記湾曲部は複数箇所で湾曲していることを特徴とする請求項３記載の端子装置。
【請求項５】
前記電線接続完了報知部は、前記干渉部、前記湾曲部および前記支点部を複数組み一体に有する形状に形成されていることを特徴とする請求項４記載の端子装置。
【請求項６】
前記干渉部における前記導体線の先端で押される部分は、前記導体線と鋭角をなす傾斜面となっていることを特徴とする請求項４記載の端子装置。
【請求項７】
前記電線接続完了報知部は、前記干渉部、前記湾曲部および前記支点部を二組み有するとともに、前記器体に押し込み固定される固定部を前記支点部間に一体に有する形状に形成されていることを特徴とする請求項４記載の端子装置。
【請求項８】
前記支点部の奥側における前記器体の内面との間に隙間が設けられていることを特徴とする請求項４記載の端子装置。
【請求項９】
前記器体における前記電線接続完了報知部の装着箇所が誘い込み構造になっていることを特徴とする請求項４記載の端子装置。
【請求項１０】
前記導体線の側部と干渉して音を発した前記干渉部は、前記所定の復帰点に戻そうとする前記湾曲部の復帰力により前記導体線の側部を押さえることを特徴とする請求項４記載の端子装置。
【請求項１１】
前記湾曲部の一部が前記干渉部に対して前記電線の挿入方向の奥側に位置していることを特徴とする請求項１記載の端子装置。
【請求項１２】
前記電線接続完了報知部は、前記干渉部、前記湾曲部および前記支点部を複数組み一体に有する形状に形成されていることを特徴とする請求項１１記載の端子装置。
【発明の詳細な説明】
【技術分野】
【０００１】
本発明は、電線挿入孔が穿設された器体を備えるとともに、電線挿入孔に挿入された電線の導体線と電気的に接続する端子部などを器体内部に備える端子装置に関するものである。
【背景技術】
【０００２】
この種の従来の端子装置には、配線器具および端子台などがあり、一方の配線器具にあっては、端子部への導体線の接続を確認するための隙間が設けられているものが存在している。他方の端子台にあっては、図２０に示すように、電線挿入孔Ｈ１への電線Ｌ１の導体線Ｌ１０の挿入により、器体Ｈ内から突出する表示棒Ｈ２が器体Ｈ内に退避することにより、端子部への導体線の接続を知らせるものが存在している。
【０００３】
なお、特許文献１には、中央部と側部が別々に屈曲する反転ばねを備え、反転ばねのクリック感で電線接続完了を感触で得る端子装置が開示されている。
【特許文献１】特開２０００−２１５９２７号公報
【発明の開示】
【発明が解決しようとする課題】
【０００４】
従来の端子装置の施工時において、端子部への導体線の接続を確認するための機構が設けられていないものがほとんどであり、そのような場合、端子部への導体線の接続が確実になされているかどうかを確認することができない。
【０００５】
また、端子部への導体線の接続を隙間から確認する機構では、施工場所が暗いと隙間からの確認が困難となる課題がある。一方、図２０のような機構では、表示棒Ｈ２に加えてコイルスプリングＨ３を設けなければならず、部品および組立費用が高くつくという課題がある。
【０００６】
さらに、表示棒Ｈ２およびコイルスプリングＨ３を電線挿入孔Ｈ１の近傍に配置する構成や、特許文献１の端子装置の構成では、端子部の電線挿入孔側が鎖錠および鎖錠解除構造であった場合に、端子部への導体線の接続を確認するための機構部品を器体内に収納するための変更に加えて、鎖錠および鎖錠解除構造の端子部に対して若干複雑な変更が必要となるので、全体の設計変更が大掛かりなものとなる。
【０００７】
本発明は、上記事情に鑑みてなされたものであり、周囲が暗くても端子部への導体線の接続完了を認識することができ、部品および組立費用が安く済み、端子部の電線挿入孔側が鎖錠および鎖錠解除構造であった場合でも全体の設計変更が容易となる端子装置を提供することを目的とする。
【課題を解決するための手段】
【０００８】
上記課題を解決するための請求項１記載の発明の端子装置は、電線挿入孔が穿設された器体を備えるとともに、前記電線挿入孔に挿入された電線の導体線の先端を自己よりも奥側に突出させた状態で、その導体線と電気的に接続する端子部と、この端子部の奥側に配置される電線接続完了報知部とを前記器体内部に備え、前記電線接続完了報知部は、前記導体線の先端で押される干渉部と、弾性を有する湾曲部と、この湾曲部を介して前記干渉部と連結されそれら干渉部および湾曲部の支点となる支点部とを一体に有する形状に形成され、前記干渉部が、前記導体線の先端で押されその先端から外れた後、前記湾曲部の曲げ弾性力により反発して所定の復帰点に戻ろうとする際に前記導体線の側部と干渉して音を発することを特徴とする。
【０００９】
この構成では、電線挿入孔に電線の導体線を挿入していくと、干渉部がその導体線の先端で押され、干渉部がその先端から外れると、湾曲部の曲げ弾性力により反発して所定の復帰点に戻ろうとする際に導体線の側部と干渉して音を発するので、周囲が暗くても端子部への導体線の接続完了を認識することができる。また、電線接続完了報知部が一部品であるので、部品および組立費用が安く済むという効果がある。さらに、電線接続完了報知部が端子部の奥側に配置されるため、例えば電線接続完了報知部を適用しようとする端子装置における端子部の電線挿入孔側が、鎖錠および鎖錠解除構造であった場合に、その構造の変更が不要となるので、全体の設計変更（グレードアップ）が容易となる。
【００１０】
請求項２記載の発明は、請求項１記載の端子装置において、前記干渉部における前記導体線の先端で押される部分が、当該干渉部を前記導体線の挿入方向と異なる方向にシフトさせる形状に形成され、前記干渉部における前記湾曲部との連結箇所が前記先端で押される部分に対して前記挿入方向と異なる方向の側に配置されていることを特徴とする。この構成では、湾曲部を突っ張らないようにスムーズに撓ませることができ、湾曲部に加わる負荷を軽減することができる。
【００１１】
請求項３記載の発明は、請求項２記載の端子装置において、前記支点部は、前記干渉部に対して前記導体線の挿入方向の奥側に配置されおり、前記湾曲部における前記干渉部側の曲げ角度が鋭角になっていることを特徴とする。この構成では、導体線の挿入方向に沿って干渉部および支点部を配置する場合、湾曲部における干渉部側の曲げ角度を鋭角にすることにより、湾曲部における支点部側のストロークを伸ばすことができるので、応力を緩和することができ、湾曲部への負担をさらに軽減することができる。
【００１２】
請求項４記載の発明は、請求項３記載の端子装置において、前記湾曲部は複数箇所で湾曲していることを特徴とする。この構成では、湾曲している複数箇所で湾曲時の応力を分散させることができるので、塑性変形することなく反復使用が可能となる。
【００１３】
請求項５記載の発明は、請求項４記載の端子装置において、前記電線接続完了報知部は、前記干渉部、前記湾曲部および前記支点部を複数組み一体に有する形状に形成されていることを特徴とする。この構成では、一の部品の電線接続完了報知部により、複数の導体線の接続完了を認識することができる。
【００１４】
請求項６記載の発明は、請求項４記載の端子装置において、前記干渉部における前記導体線の先端で押される部分は、前記導体線と鋭角をなす傾斜面となっていることを特徴とする。この構成では、湾曲部を挫屈させることなくスムーズに撓ませることができる。
【００１５】
請求項７記載の発明は、請求項４記載の端子装置において、前記電線接続完了報知部は、前記干渉部、前記湾曲部および前記支点部を二組み有するとともに、前記器体に押し込み固定される固定部を前記支点部間に一体に有する形状に形成されていることを特徴とする。この構成では、一の部品の電線接続完了報知部により、複数の導体線の接続完了を認識することができるほか、電線接続完了報知部の器体への固定作業が容易となる。
【００１６】
請求項８記載の発明は、請求項４記載の端子装置において、前記支点部の奥側における前記器体の内面との間に隙間が設けられていることを特徴とする。この構成では、電線挿入時に湾曲部の撓みが器体と接触することにより妨げられるのを防止することができる。
【００１７】
請求項９記載の発明は、請求項４記載の端子装置において、前記器体における前記電線接続完了報知部の装着箇所が誘い込み構造になっていることを特徴とする。この構成では、電線接続完了報知部の器体への装着が容易となる。
【００１８】
請求項１０記載の発明は、請求項４記載の端子装置において、前記導体線の側部と干渉して音を発した前記干渉部は、前記所定の復帰点に戻そうとする前記湾曲部の復帰力により前記導体線の側部を押さえることを特徴とする。この構成では、電線をより抜け難くすることができる。
【００１９】
請求項１１記載の発明は、請求項１記載の端子装置において、前記湾曲部の一部が前記干渉部に対して前記電線の挿入方向の奥側に位置していることを特徴とする。この構成では、電線挿入時に湾曲部の一部が突っ張ることにより反発力が増すので、干渉部が前記導体線の側部と干渉して発する音を大きくすることができる。
【００２０】
請求項１２記載の発明は、請求項１１記載の端子装置において、前記電線接続完了報知部は、前記干渉部、前記湾曲部および前記支点部を複数組み一体に有する形状に形成されていることを特徴とする。この構成では、一の部品の電線接続完了報知部により、複数の導体線の接続完了を認識することができる。
【発明の効果】
【００２１】
本発明によれば、周囲が暗くても端子部への導体線の接続完了を認識することができ、部品および組立費用が安く済み、端子部の電線挿入孔側が鎖錠および鎖錠解除構造であった場合でも全体の設計変更が容易となる。
【発明を実施するための最良の形態】
【００２２】
（実施形態１）
図１は本発明による実施形態１の端子装置の分解斜視図、図２はその端子装置の正面図（ａ）、右側面図（ｂ）、背面図（ｃ）および下側面図（ｄ）である。
【００２３】
実施形態１の端子装置は、壁に埋設された埋込ボックスなどに直接または取付枠を介して取り付けられ、壁に埋設された状態で使用される配線器具のコンセントであり、図１，図２に示すように、ボディ１およびカバー２によりなる器体と、接地極側の端子受け部３１と、接地極側の端子部３２と、二組みの電圧極側の端子受け部４１，４１，４１，４１と、二組みの電圧極側の端子部４２，４２と、複数の組立枠５，５，５，５と、例えば樹脂製の複数の報知部（電線接続完了報知部）６，６とにより構成されている。
【００２４】
図３にボディの正面図（ａ）、右側面図（ｂ）、背面図（ｃ）および下側面図（ｄ）をさらに示す。図１〜図３に示すように、ボディ１は、合成樹脂により上下方向に長い矩形状の開口１ａを正面に有する箱状に形成されている。そして、ボディ１には、端子受け部３１および端子部３２を収納するための収納室１０ａを中央部に、一方（左方）の組みの一対の端子受け部４１，４１をそれぞれ収納するための収納室１０ｂ，１０ｃを一方の上下に、一方の組みの端子部４２を収納するための収納室１０ｄを一方の中央に、他方（右方）の組みの一対の端子受け部４１，４１をそれぞれ収納するための収納室１０ｅ，１０ｆを他方の上下に、他方の組みの端子部４２を収納するための収納室１０ｇを他方の中央に設けるための隔壁が複数形成されている。
【００２５】
また、ボディ１の背面部１０には、接地極側電線の導体線挿入用で収納室１０ａに連通する一対の接地極側の電線挿入孔１０ｈ，１０ｈと、電圧極側電線の導体線挿入用で収納室１０ｄに連通する一対の電圧極側の電線挿入孔１０ｉ，１０ｉと、電圧極側電線の導体線挿入用で収納室１０ｇに連通する一対の電圧極側の電線挿入孔１０ｊ，１０ｊとが穿設されている。
【００２６】
図４にカバーの正面図（ａ）、左側面図（ｂ）、背面図（ｃ）および下側面図（ｄ）をさらに示す。図１，図２，図４に示すように、カバー２は、合成樹脂により、ボディ１の開口１ａを自己の開口２ａ側で閉塞する形状（図では箱状）に形成されている。そして、底部となる正面部２０には、接地極有り無しの各プラグを挿入するための端子挿入孔が二組み穿設されている。すなわち、正面部２０の上部には、接地極の無いプラグの両電圧極側端子をそれぞれ挿入するための一対の端子挿入孔２０ａ，２０ａが穿設されている。一方、正面部２０の下部には、接地極の有るプラグの接地極側端子および一対の電圧極側端子をそれぞれ挿入するための接地極側の端子挿入孔２０ｂおよび一対の電圧極側の端子挿入孔２０ｃ，２０ｃが穿設されている。
【００２７】
また、カバー２における報知部６の装着箇所が、誘い込み構造になっている（後述の図１１参照）。すなわち、カバー２には、報知部６の後述する平板状の固定部６４を両側から挟み込む溝２ｂが形成され、溝２ｂの入口側ほど溝幅が広くなっている。これにより、報知部６のカバー２への装着が容易となる。
【００２８】
図５にボディの中央部の収納室に収納される端子受け部および端子部の正面図（ａ）、右側面図（ｂ）および下側面図（ｃ）をさらに示す。図１，図５に示すように、端子受け部３１は、接地極有りのプラグの平板状の接地極側端子を両側から弾接する一対の導電板３１１，３１１により構成されるいわゆる刃受けばねであり、ボディ１の収納室１０ａの下側に収納されて端子挿入孔２０ｂの背面側（直下）に設けられ、その端子挿入孔２０ｂに挿入された上記接地極側端子と電気的に接続されるようになっている。
【００２９】
端子部３２は、上方および下方にそれぞれ足部３２１ａ，３２１ａおよび３２１ｂ，３２１ｂを有するＨ字状の導電板の各足部が背面側に屈曲するとともに、上方の足部３２１ａ，３２１ａがさらに正面側に湾曲して下方の足部３２１ｂ，３２１ｂにそれぞれ当接ないし近接する形状に形成される端子板３２１と、絶縁樹脂製の解除釦３２２とにより構成されている。また、端子板３２１の正面側には一対の切欠き３２１ｃ，３２１ｃが形成され、電線挿入孔１０ｈに挿入された電線の導体線の先端を奥側に突出させた状態で、端子板３２１の足部３２１ａ，３２１ａの先端側が、その導体線の側部と鎖錠する（導体線の側部に係止してその導体線の抜け止めをする）鎖錠片として機能するようになっている。そして、端子部３２の端子板３２１は、例えばスポット溶接またはリベットなどにより端子受け部３１と一体的に結合される。
【００３０】
図６に左方または右方（この図では左方）の上下一対の収納室および中央の収納室にそれぞれ収納される一対の端子受け部および端子部の正面図（ａ）、左側面図（ｂ）、右側面図（ｃ）、下側面図（ｄ）および（ａ）のＡ−Ａ線断面図（ｅ）をさらに示す。
【００３１】
図１，図６に示すように、上方の端子受け部４１は、接地極無しのプラグの円柱ないし断面Ｕ字状などの電圧極側端子を三方から弾接する複数の導電板４１１，４１１，４１１により構成される刃受けばねであり、ボディ１の収納室１０ｂ（１０ｅ）に収納されて端子挿入孔２０ａの背面側に設けられ、その端子挿入孔２０ａに挿入された上記電圧極側端子と電気的に接続されるようになっている。下方の端子受け部４１は、接地極有りのプラグの平板状の電圧極側端子を両側から弾接する一対の導電板４１１，４１１により構成される刃受けばねであり、ボディ１の収納室１０ｃ（１０ｆ）に収納されて端子挿入孔２０ｃの背面側に設けられ、その端子挿入孔２０ｃに挿入された上記電圧極側端子と電気的に接続されるようになっている。
【００３２】
端子部４２は、左右方向の内側（図６では右側）および外側（左側）にそれぞれ足部４２１ａ，４２１ａおよび４２１ｂ，４２１ｂを有するＨ字状の導電板の各足部が背面側に屈曲するとともに、内側の足部４２１ａ，４２１ａがさらに正面側に湾曲して外側の足部４２１ｂ，４２１ｂにそれぞれ当接ないし近接する形状に形成される端子板４２１と、絶縁樹脂製の解除釦４２２とにより構成されている。また、端子板４２１の正面側に一対の切欠き４２１ｃ，４２１ｃが形成され、電線挿入孔１０ｉ（１０ｊ）に挿入された電線の導体線の先端を奥側に突出させた状態で、端子板４２１の足部４２１ａ，４２１ａの先端側が、その導体線の側部と鎖錠する鎖錠片として機能するようになっている。そして、端子部４２の端子板４２１は、例えばリベットまたはスポット溶接などにより一対の端子受け部４１，４１と一体的に結合されている。
【００３３】
図７に各解除釦の正面図（ａ）、側面図（ｂ），（ｃ）および斜視図（ｄ）をさらに示す。図１，図７に示すような形状の解除釦３２２（４２２）は、収納室１０ａ（１０ｄ，１０ｇ）内の治具挿通孔の正面側に配置され、その収納室内の治具挿通孔へのマイナスドライバの先端部などの挿入に応じて、端子板３２１（４２１）の足部３２１ａ，３２１ａ（４２１ａ，４２１ａ）の先端側を足部３２１ｂ，３２１ｂ（４２１ｂ，４２１ｂ）から離隔させて、足部３２１ａ，３２１ａ（４２１ａ，４２１ａ）による導体線の鎖錠を解除するものである。
【００３４】
図８に各組立枠の正面図（ａ）および側面図（ｂ），（ｃ）をさらに示す。図１〜図４，図８に示すように、組立枠５は、上下方向に並ぶ一対の孔５ａ，５ａを有する枠状に形成され、上向きの爪５１ａを先端に持つ突片５１を一対の孔５ａ，５ａ間に有している。各組立枠５は、ボディ１およびカバー２の各開口縁部側の左右側壁部に形成された片側２組みのうち、一方の組みにおける複数の突起１００，２００および溝１０１に対して、一の組立枠５の孔５ａ，５ａおよび突片５１が係合することにより、ボディ１およびカバー２を固定する。
【００３５】
図９に各報知部の斜視図を示し、図１０に報知部の正面図（ａ）および側面図（ｂ），（ｃ）を示し、図１１に報知部を器体内に装着した状態図を示し、そして図１２に報知部の動作説明図をさらに示す。
【００３６】
図１，図９〜図１１に示すように、報知部６は、電線挿入孔１０ｉ，１０ｊのいずれかに挿入された電線の導体線の先端で押される干渉部６１と、弾性を有する湾曲部６２と、この湾曲部６２を介して干渉部６１と連結されそれら干渉部６１および湾曲部６２の支点となる支点部６３とを二組み有するとともに、カバー２の内面側の溝２ｂ内に押し込み固定される固定部６４を支点部６３，６３間に一体に有する形状に形成され、各干渉部６１が、上記導体線の先端で押されその先端から外れた後、湾曲部６２の曲げ弾性力により反発して所定の復帰点に戻ろうとする際に導体線の側部と干渉して音を発するようになっている。
【００３７】
さらに詳述すると、干渉部６１は、図９に示すように三角柱状に形成され、図１２に示すように、干渉部６１における被覆付き電線（例えばＩＶ線）Ｌ１の導体線Ｌ１０の先端で押される部分が、当該干渉部６１を導体線Ｌ１０の挿入方向Ｄ１と異なる方向Ｄ２にシフトさせる形状（導体線と鋭角をなす傾斜面を持つテーパ構造）に形成され、干渉部６１における湾曲部６２との連結箇所が、上記先端で押される部分に対して挿入方向Ｄ１と異なる方向Ｄ２の側に配置されている。これにより、湾曲部６２を突っ張らないようにスムーズに撓ませることができ、湾曲部６２に加わる負荷を軽減することができる。また、干渉部６１における導体線Ｌ１０の先端で押される部分が、導体線と鋭角をなす傾斜面となっているので、湾曲部６２を挫屈させることなくスムーズに撓ませることができる。
【００３８】
また、湾曲部６２は、図１１に示すように、コ字状に形成され、複数箇所Ｐ６３１，Ｐ６３２で湾曲している。これにより、湾曲している複数箇所Ｐ６３１，Ｐ６３２で湾曲時の応力を分散させることができるので、塑性変形することなく反復使用が可能となる。
【００３９】
また、支点部６３は、角柱状に形成され、干渉部６１に対して導体線Ｌ１の挿入方向Ｄ１の奥側（図１１では上側）に配置されおり、湾曲部６２における干渉部６１側の箇所Ｐ６３１で曲げ角度が鋭角になっている。これにより、湾曲部６２における支点部６３側のばねストロークを伸ばすことができるので、応力を緩和することができ、湾曲部への負担をさらに軽減することができる。
【００４０】
また、支点部６３の奥側（図１１では上側）における器体のカバー２の内面との間に隙間Ｇが設けられている。図９の例では、固定部６４の一部が両支点部６３，６３よりも奥側（上側）に突出した段差構造になっており、その段差により上記隙間Ｇができるようになっている。これにより、電線Ｌ１の挿入時に湾曲部６２の撓みが器体のカバー２の内面と接触することにより妨げられるのを防止することができる。
【００４１】
さらに、導体線Ｌ１０の側部と干渉して音を発した干渉部６１は、図１２（ｆ）に示すように、復帰点（例えば図１２（ａ）のように導体線Ｌ１０と当たらないフリーな状態の干渉部６１の位置）に戻そうとする湾曲部６２の復帰力により導体線Ｌ１０の側部を押さえる構成になっている。この構成では、電線をより抜け難くすることができる。
【００４２】
次に、実施形態１の特徴となる報知部６の動作について説明する。図１２（ａ）に示すように、電線挿入孔１０ｉ，１０ｊのいずれかに電線Ｌ１の導体線Ｌ１０を挿入していくと、図１２（ｂ），（ｃ）に示すように、干渉部６１が導体線Ｌ１０の先端でＤ２方向に押され、湾曲部６２が撓んで反発力を蓄積していく。この後、干渉部６１の先端が、図１２（ｄ）に示すように、導体線Ｌ１０の先端にかろうじて掛止する臨界点に達し、この臨界点を超え、干渉部６１が導体線Ｌ１０の先端から外れると、図１２（ｅ），（ｆ）に示すように、湾曲部６２に蓄積された反発力（曲げ弾性力）により干渉部６１が反発して復帰点に戻ろうとする際に導体線Ｌ１０の側部と干渉して（例えば「カチッ」と当たって）、「カチッ」という音を発する。これにより、端子部４２への導体線Ｌ１０の接続完了を認識することができる。また、導体線Ｌ１０の側部と干渉して音を発した干渉部６１は、復帰点に戻そうとする湾曲部６２の復帰力により導体線Ｌ１０の側部を押さえる状態となる。なお、実際には、電線Ｌ１は、電線挿入孔１０ｉ，１０ｊにおける開口側の広めの溝に被覆が填り込むように導体線Ｌ１０が露出される。
【００４３】
以上、実施形態１によれば、電線挿入孔１０ｉ，１０ｊに電線Ｌ１の導体線Ｌ１０を挿入していくと、導体線Ｌ１０の側部が端子部の鎖錠機構により確実に鎖錠された後、音が発するので、周囲が暗くても端子部４２への導体線Ｌ１０の接続完了を認識することができる。また、報知部６が一部品であるので、部品および組立費用が安く済むという効果がある。さらに、報知部６が端子部４２の奥側に配置されるため、端子部の電線挿入孔側の鎖錠および鎖錠解除構造の変更が不要となるので、全体の設計変更（グレードアップ）が容易となる。
【００４４】
また、報知部６は、干渉部６１、湾曲部６２および支点部６３を二組み有するとともに、固定部６４を支点部６３，６３間に一体に有する形状に形成されているので、一の部品の報知部６により、複数の導体線の接続完了を認識することができるほか、報知部６の器体への固定作業が容易となる。
【００４５】
なお、実施形態１では、図９等に示す構造の報知部が使用されているが、本発明の報知部は、上記構造の報知部に限らず、図１３に示すような各種構造の報知部でもよい。図１３の各干渉部６１および各支点部６３は実施形態１とほぼ同様であり、各報知部６は、いずれも干渉部６１、湾曲部６２および支点部６３を一体に有する形状に形成されており、図１３（ａ），（ｂ）の報知部６にあっては、湾曲部６２がく字状になっている。他方、図１３（ｃ），（ｄ）では湾曲部６２がＬ字状、図１３（ｅ），（ｆ）では湾曲部６２がι（イオータ）字状、図１３（ｇ），（ｈ）では湾曲部６２がコ字状になっている。
【００４６】
そして、いずれの報知部６も、干渉部６１における電線の導体線の先端で押される部分が、当該干渉部６１を導体線の挿入方向Ｄ１と異なる方向にシフトさせる形状になっており、干渉部６１における湾曲部６２との連結箇所６３１が、上記先端で押される部分に対して上記挿入方向と異なる方向の側に配置されている。これにより、湾曲部６２を突っ張らないようにスムーズに撓ませることができ、湾曲部６２に加わる負荷を軽減することができる。
【００４７】
図１３（ｅ），（ｆ）の報知部６にあっては、湾曲部６２における干渉部６１側の曲げ角度を鋭角にして、湾曲部６２における支点部６３側のばねストロークを伸ばすことにより、応力を緩和することができ、湾曲部６２への負担をさらに軽減することができるようになっている。
【００４８】
図１３（ｇ），（ｈ）の報知部６にあっては、湾曲部６２が複数箇所Ｐ６３１，Ｐ６３２で湾曲している。これにより、湾曲している複数箇所Ｐ６３１，Ｐ６３２で湾曲時の応力を分散させることができるので、塑性変形することなく反復使用が可能となる。
【００４９】
（実施形態２）
図１４は本発明による実施形態２の端子装置の分解斜視図、図１５は同端子装置における各報知部の斜視図、図１６は報知部の正面図（ａ）および側面図（ｂ），（ｃ）、図１７は報知部を器体内に装着した状態図、図１８は報知部の動作説明図である。
【００５０】
実施形態２の端子装置は、図１４に示すように、ボディ１およびカバー２によりなる器体と、接地極側の端子受け部３１と、接地極側の端子部３２と、二組みの電圧極側の端子受け部４１，４１，４１，４１と、二組みの電圧極側の端子部４２，４２と、複数の組立枠５，５，５，５とを実施形態１と同様に備えているほか、実施形態１と構造が相違する例えば樹脂製の複数の報知部６，６を備えている。
【００５１】
実施形態２の報知部６は、図１５〜図１７に示すように、実施形態１と同様の干渉部６１および支点部６３と、実施形態１と相違するＵ字状の湾曲部６２とを二組み有するとともに、カバー２の内面側（実施形態１とは異なる位置）に形成された溝２ｂ内に押し込み固定される固定部６４を支点部６３，６３間に一体に有する形状に形成され、図１８に示すように、各干渉部６１が、導体線の先端で押されその先端から外れた後、湾曲部６２の曲げ弾性力により反発して所定の復帰点に戻ろうとする際に導体線Ｌ１０の側部と干渉して音を発するようになっている。また、湾曲部６２の一部（図では半分）である干渉部６１側が、その干渉部６１に対して電線の挿入方向の奥側に位置している。
【００５２】
次に、実施形態２の特徴となる報知部６の動作について説明する。図１８（ａ）の状態から、電線挿入孔１０ｉ，１０ｊのいずれかに電線の導体線Ｌ１０を挿入していくと、図１８（ｂ）に示すように、干渉部６１が導体線Ｌ１０の先端でＤ２方向に押され、湾曲部６２が撓んで反発力を蓄積していく。この後、干渉部６１の先端が、導体線Ｌ１０の先端にかろうじて掛止する臨界点に達し、この臨界点を超え、干渉部６１が導体線Ｌ１０の先端から外れると、図１８（ｃ）に示すように、湾曲部６２に蓄積された反発力（曲げ弾性力）により干渉部６１が反発して復帰点に戻ろうとする際に導体線Ｌ１０の側部と干渉して「カチッ」という音を発する。これにより、端子部４２への導体線Ｌ１０の接続完了を認識することができる。また、導体線Ｌ１０の側部と干渉して音を発した干渉部６１は、復帰点に戻そうとする湾曲部６２の復帰力により導体線Ｌ１０の側部を押さえる状態となる。
【００５３】
以上、実施形態２によれば、湾曲部６２の一部である干渉部６１側が、その干渉部６１に対して電線の挿入方向の奥側に位置しているので、電線挿入時に湾曲部６２の一部が突っ張ることにより反発力が増すため、干渉部６１が導体線Ｌ１０の側部と干渉して発する音を大きくすることができる。
【００５４】
また、報知部６が、干渉部６１、湾曲部６２および支点部６３を二組み有するとともに、固定部６４を支点部６３，６３間に一体に有する形状に形成されているので、一の部品の報知部６により、複数の導体線の接続完了を認識することができる。
【００５５】
なお、実施形態２では、報知部６が、干渉部６１、湾曲部６２および支点部６３を二組み一体に有する形状になっているが、図１９に示すように、実施形態２と同様の、干渉部６１、湾曲部６２および支点部６３を一組み一体に有し、カバー２の内面側に形成された溝２ｂ内に押し込み固定される角柱状の固定部６４を支点部６３に一体に有する形状でもよい。この構成では、一の部品の報知部６により、導体線の接続完了を認識することができるほか、報知部６の器体への固定作業が容易となる。
【００５６】
また、実施形態１，２では、端子部４２，４２に対して報知部６，６がそれぞれ設けられる構成になっているが、端子部３２に対しても報知部６が設けられる構成でもよい。
【００５７】
さらに、実施形態１，２において、報知部６の干渉部６１は、反発時に端子部の奥側の面に当たってもよく、また当たらないようにしてもよい。
【図面の簡単な説明】
【００５８】
【図１】本発明による実施形態１の端子装置の分解斜視図である。
【図２】同端子装置の正面図（ａ）、右側面図（ｂ）、背面図（ｃ）および下側面図（ｄ）である。
【図３】同端子装置のボディの正面図（ａ）、右側面図（ｂ）、背面図（ｃ）および下側面図（ｄ）である。
【図４】同端子装置のカバーの正面図（ａ）、左側面図（ｂ）、背面図（ｃ）および下側面図（ｄ）である。
【図５】同端子装置におけるボディの中央部の収納室に収納される端子受け部および端子部の正面図（ａ）、右側面図（ｂ）および下側面図（ｃ）である。
【図６】同端子装置のボディにおける左方の上下一対の収納室および中央の収納室にそれぞれ収納される一対の端子受け部および端子部の正面図（ａ）、左側面図（ｂ）、右側面図（ｃ）、下側面図（ｄ）および（ａ）のＡ−Ａ線断面図（ｅ）である。
【図７】同端子装置の各解除釦の正面図（ａ）、側面図（ｂ），（ｃ）および斜視図（ｄ）である。
【図８】同端子装置の各組立枠の正面図（ａ）および側面図（ｂ），（ｃ）である。
【図９】同端子装置の各報知部の斜視図である。
【図１０】同報知部の正面図（ａ）および側面図（ｂ），（ｃ）である。
【図１１】同報知部を器体内に装着した状態図である。
【図１２】同報知部の動作説明図である。
【図１３】実施形態１の報知部の変形例を示す図である。
【図１４】本発明による実施形態２の端子装置の分解斜視図である。
【図１５】同端子装置における各報知部の斜視図である。
【図１６】同報知部の正面図（ａ）および側面図（ｂ），（ｃ）である。
【図１７】同報知部を器体内に装着した状態図である。
【図１８】同報知部の動作説明図である。
【図１９】実施形態２の報知部の変形例を示す図である。
【図２０】従来の端子台に設けられる端子部への導体線の接続を知らせる機構の説明図である。
【符号の説明】
【００５９】
１  ボディ
２  カバー
３１  端子受け部３１
３２  端子部
４１  端子受け部
４２  端子部
５  組立枠
６  報知部（電線接続完了報知部）
６１  干渉部
６２  湾曲部
６３  支点部
６４  固定部
【図１】
2005100858.tif 000003
【図２】
2005100858.tif 000004
【図３】
2005100858.tif 000005
【図４】
2005100858.tif 000006
【図５】
2005100858.tif 000007
【図６】
2005100858.tif 000008
【図７】
2005100858.tif 000009
【図８】
2005100858.tif 000010
【図９】
2005100858.tif 000011
【図１０】
2005100858.tif 000012
【図１１】
2005100858.tif 000013
【図１２】
2005100858.tif 000014
【図１３】
2005100858.tif 000015
【図１４】
2005100858.tif 000016
【図１５】
2005100858.tif 000017
【図１６】
2005100858.tif 000018
【図１７】
2005100858.tif 000019
【図１８】
2005100858.tif 000020
【図１９】
2005100858.tif 000021
【図２０】
2005100858.tif 000022